(57)【要約】【課題】接片材の接点にプリロードを与えるために必要な係止片部が筐体の壁面に形成した係止面と擦れ合っても、係止面が削れたり係止片部が変形したりするおそれをなくする。【解決手段】蛇行状の接片材５を筐体１に収容する。接片材５の山形突出部５６を、筐体１の開口１６から突出させる。山形突出部５６に形成した係止片部６６を係止面２１に係止させて接点５７にプリロードを与える。係止片部６６は角張り端縁を持たない形状を備える。具体的には、係止片部６６に、面状部７１と、面状部７１に湾曲状の曲がり部７２を介して連設した突片部７３，７４とを具備させる。面状部７１に湾曲面を備えた膨出部７５を形成しておいてもよい。【選択図】        図３
2004193055.tif 000002
【特許請求の範囲】
【請求項１】
複数の板片部が湾曲状の撓み部を介して連設された蛇行状の接片材の一端側板片部に、頂部がバッテリー側電極に弾接する接点として形成された山形突出部が備わり、この接片材を収容している筐体が、上記山形突出部を突出させた開口を備えていると共に、上記山形突出部に、その山形突出部の内側に向けて曲げ込まれた湾曲部と、その湾曲部の端部で横方向に張り出した係止片部とが備わり、この係止片部が上記開口の口縁部裏面によって形成された係止面にプリロード下で弾接して係止されることにより、上記開口からの上記山形突出部の出幅が規制されるようになっているバッテリー用コネクタにおいて、
上記山形突出部の湾曲部が対向する上記筐体の壁面が、筐体が搭載される配線基板の板面と対峙するようになっていると共に、上記係止片部が上記配線基板の板面と上記筐体の壁面との対峙方向に変位することによって上記係止面と摺接するようになっており、かつ、その係止片部は、上記係止面と摺接するときにその係止面を掻き削る角張り端縁を持たない形状を備えていることを特徴とするバッテリー用コネクタ。
【請求項２】
上記係止片部は、横幅方向両側の端縁が上記対峙方向に延びて上記係止面に対して摺接可能な面状部と、この面状部の縦幅方向両側で、湾曲した曲がり部を介して上記係止面から遠ざかる方向に延び出た突片部とを一体に有している請求項１に記載したバッテリー用コネクタ。
【請求項３】
上記係止片部が、面状部と、この面状部に形成され、かつ、上記係止面に当接することによってその面状部を上記係止面から離反させた位置に保持する湾曲面を備えた膨出部とを一体に有している請求項１に記載したバッテリー用コネクタ。
【請求項４】
上記筐体は、上記山形突出部の湾曲部が対向する上記筐体の壁面に対向する箇所が開放口として形成され、その開放口が、当該筐体が配備される上記配線基板によって塞がれるようになっている請求項１ないし請求項３のいずれか１項に記載したバッテリー用コネクタ。
【発明の詳細な説明】
【０００１】
【発明の属する技術分野】
本発明は、バッテリーを充電することなどに用いるバッテリー用コネクタ、特に、接片材に設けた係止片がプリロード下で筐体側の係止面に係止されるようになっているバッテリー用コネクタに関する。
【０００２】
【従来の技術】
従来、図９に示したバッテリー用コネクタが知られていた（特許文献１参照）。同図のように、このバッテリー用コネクタは、下端が配線基板１００の板面上に配備された筐体２００に蛇行状の接片材２１０を収容してなる。図１０は接片材２１０を示し、同図のように接片材２１０は、３つの細長い板片部が、湾曲状に膨らみ出た２箇所の撓み部２１６，２１７を介して連設された蛇行状に形成されている。そして、図９のように、接片材２１０の一端側の板片部に形成された山形突出部２１２が、筐体２００の上壁に形成された細長い開口２０５から突出されてその頂部がバッテリー側電極（不図示）に弾接する接点２１３として形成されている。接片材２００の他端側の板片部には筐体１の壁部２０１に固定された固着片２１４と、折返し状に形成されて配線基板１００のパターンに接続された半田付け用の端子２１５とが備わっている。また、下側の撓み部２１６が筐体１の他の壁部２０２に形成された孔２０３に嵌め込まれているのに対し、上側の撓み部２１７が壁部２０１に対向されている。
【０００３】
さらに、接片材２００の山形突出部２１２の端部は、その山形突出部２１２の内側（図例では下側）に向けて略直角に曲げ込まれていて、そのように曲げ込まれた端部に、横方向に張り出した矩形の係止片部２２０が備わり、その係止片部２２０の端面が上記開口２０５の口縁部の壁面によって形成された係止面２０６にプリロード下で弾接して係止されている。このように、係止片部２２０が係止面２０６にプリロード下で弾接して係止されていることにより、筐体２００の開口２０５からの山形突出部２１２の出幅が規制されている。
【０００４】
このバッテリー用コネクタでは、接片材２００に外力が作用していない初期状態で、図９のように係止片部２２０が筐体２００側の係止面２０６に重なり合って弾圧状態で面接触している。また、図示していないバッテリーを充電するときにバッテリーＤを着脱する操作が行われる。
【０００５】
バッテリーの装着操作は、蛇行状の接片材２１０の収縮方向に対して直角の方向である図９の矢印Ｃ１方向に沿ってバッテリーＤを当該コネクタに挿入することにより、バッテリーＤを山形突出部２１２にスライドさせてその山形突出部２１２を後退変位させた状態で、その接点２１３にバッテリーＤの電極を押し付けて弾接させる。このときには、接片材２１０が収縮し、山形突出部２１２が矢印ｃ１のように後退変位して開口２０５に押し込まれ、係止片部２２０が係止面２０６から離れる。このときの山形突出部２１２の後退変位に伴って、接片材２１０の端部の湾曲部２２１が壁部２０２に当たったり、撓み部２１７が壁部２０１に当たったりして擦れ合うことがある。これに対し、バッテリーＤの離脱操作は、蛇行状の接片材２１０の伸長方向に対して直角の方向である図９の矢印Ｃ２方向に沿ってバッテリーＤを当該コネクタから離反させる。このときには、撓み変形によって収縮していた接片材２１０が伸長して山形突出部２１３が矢印ｃ２のように変位することによりその山形突出部２１３が開口２０５から突き出し、係止片部２２０が係止面２０６に係止されることにより初期状態に復帰して次回の使用に備えるようになる。
【０００６】
【特許文献１】
特表２００１−５０２８３７号公報
【０００７】
【発明が解決しようとする課題】
しかしながら、従来例では、図１１に拡大して示したように、バッテリの着脱操作によって係止片部２２０の端面が係止面２０６に弾接したまま矢印ｄ１，ｄ２の方向で擦れ合うという事態が起こり得るので、そのような状況が起こったときに、金属部分である係止片部２２０が合成樹脂部分である係止面２０６を削るという事態や、薄肉の係止片部２２０が係止面２０６に引掛かって変形するという事態を生じるおそれがあった。
【０００８】
そして、上記した係止片部２２０が係止面２０６を削るという事態や、係止片部２２０が変形するという事態が起こると、筐体２００に強度不足が生じて割れや変形が起こりやすくなったり、係止片部２２０の変形によってその係止片部２２０が係止面２０６に係止されなくなってその係止片部２２０が開口２０５から突き出してしまったして、バッテリー用コネクタに要求される性能が発揮されなくなる。
【０００９】
本発明は以上の状況の下でなされたものであり、係止片部の形状ないし構造に工夫を講じることによって、係止片部が筐体の係止面と擦れ合ったとしても、係止面が削られたり係止片部が変形したりするおそれのないバッテリー用コネクタを提供することを目的とする。
【００１０】
また、本発明は、従来例で説明したバッテリー用コネクタの係止片部にきわめて簡単な形状や構造の変更を加えるだけで、係止片部が筐体の係止面と擦れ合ったとしても、係止面が削られたり係止片部が変形したりするおそれのないバッテリー用コネクタを提供することを目的とする。
【００１１】
さらに、本発明は、上記各目的を達成することに併せて、配線基板に実装したときの背低化を図りやすいバッテリー用コネクタを提供することを目的とする。
【００１２】
【課題を解決するための手段】
本発明に係るバッテリー用コネクタは、複数の板片部が湾曲状の撓み部を介して連設された蛇行状の接片材の一端側板片部に、頂部がバッテリー側電極に弾接する接点として形成された山形突出部が備わり、この接片材を収容している筐体が、上記山形突出部を突出させた開口を備えていると共に、上記山形突出部に、その山形突出部の内側に向けて曲げ込まれた湾曲部と、その湾曲部の端部で横方向に張り出した係止片部とが備わり、この係止片部が上記開口の口縁部裏面によって形成された係止面にプリロード下で弾接して係止されることにより、上記開口からの上記山形突出部の出幅が規制されるようになっている。
【００１３】
そして、上記山形突出部の湾曲部が対向する上記筐体の壁面が、筐体が搭載される配線基板の板面と対峙するようになっていると共に、上記係止片部が上記配線基板の板面と上記筐体の壁面との対峙方向に変位することによって上記係止面と摺接するようになっており、かつ、その係止片部は、上記係止面と摺接するときにその係止面を掻き削る角張り端縁を持たない形状を備えている。
【００１４】
この構成であると、山形突出部が配線基板の板面と筐体の壁面との対峙方向に変位したとしても、係止片部が係止面を掻き削る角張り端縁を持たない形状を備えているために、係止片部が係止面を削ったり、係止片部が係止面に引掛かって変形したりするという事態が起こらない。
【００１５】
本発明において、上記係止片部は、横幅方向両側の端縁が上記対峙方向に延びて上記係止面に対して摺接可能な面状部と、この面状部の縦幅方向両側で、湾曲した曲がり部を介して上記係止面から遠ざかる方向に延び出た突片部とを一体に有している、という構成を採用することができる。
【００１６】
また、上記係止片部が、面状部と、この面状部に形成され、かつ、上記係止面に当接することによってその面状部を上記係止面から離反させた位置に保持する湾曲面を備えた膨出部とを一体に有している、という構成を採用することもできる。
【００１７】
さらに、上記筐体は、上記山形突出部の湾曲部が対向する上記筐体の壁面に対向する箇所が開放口として形成され、その開放口が、当該筐体が配備される上記配線基板によって塞がれるようになっている、という構成を採用することが可能である。
【００１８】
【発明の実施の形態】
図１は本発明に係るバッテリー用コネクタの正面図、図２は図１のＩＩ−ＩＩ線断面図、図３は図１のＩＩＩ−ＩＩＩ線断面図、図４は係止片部６６の形状を示した部分斜視図、図５は図３の要部を拡大して示した作用説明図、図６は図１のＶＩ部の拡大図である。
【００１９】
図１又は図２のように、このバッテリー用コネクタは、合成樹脂成形体でなる筐体１と、筐体１の内部空間に収容された金属片でなる接片材５とを備えている。
【００２０】
図２又は図３に示したように、接片材５は、３つの細長い板片部５１，５２，５３が湾曲状に膨らみ出た撓み部５４，５５を介して蛇行状に連設されてなる。この接片材５の一端側の板片部５３に山形突出部５６が備わっていて、その山形突出部５６の頂部がバッテリー側電極（不図示）に弾接する接点５７として形成されている。接片材５の他端側の板片部５１は筐体１の支持壁面１２に重なり状に配備されていて、その板片部５１に連設されている撓み部５４を筐体１の覆壁１３に形成した凹所（図例では孔）に嵌め込んであるのに対し、その板片部５１の端部を直角に折り曲げることによって筐体１の後側へ突き出した端子５８として形成してある。これに対し、筐体１は、囲壁１５に細長い開口１６を有している。囲壁１５は下半部が前方へ突出していて、その突出箇所１７に、開口１６の下部を塞ぐ補強壁１８が一体に設けられている。さらに、筐体１では、覆壁１３に対向する箇所が開放口１９として形成されていて、図示のように筐体１を配線基板１００の板面上に配備した状態では、その開放口１９が配線基板１００によって塞がれるようになっている。
【００２１】
図３のように、接片材５の山形突出部５６には、その山形突出部５６の内側（図例では下側）に向けて曲げ込まれて筐体１の覆壁１３の壁面１３ａに対向された湾曲部６５と、その湾曲部６５の端部で横方向に張り出した係止片部６６とが備わっていて、係止片部６６が筐体５の開口１６の口縁部裏面、すなわち囲壁１５の裏面によって形成された係止面２１にプリロード下で弾接して係止されている。このように、係止片部６６が係止面２１にプリロード下で弾接して係止されていることにより、筐体１の開口１６からの山形突出部５６の出幅が規制されている。また、図６のように、開口１６の左右の口縁と山形突出部５６との間に所定の隙間空間１６ａが確保されていて、この隙間空間１６ａにより、山形突出部５６が進退変位するときに口縁に接触することを防いでいる。そのため、山形突出部５６の変位したときに山形突出部５６が口縁と擦れて口縁を削ったり山形突出部５６が変形したりするという事態が起こりにくい。
【００２２】
次に、接片材５の係止片部６６は、図４のように、山形突出部５６に備わっている湾曲部６５の端部で横方向両側に張り出した形状に形成されている。そして、この係止片部６６は、横長矩形の面状部７１と、この面状部７１の縦幅方向両側で、湾曲した曲がり部７２を介して延出された一対の突片部７３，７４とを一体に有している。図例では、上側の突片部７３が湾曲部６５の端部の両側に分割された状態で形成されている。また、係止片部６６の横幅方向両側の端縁６８が筐体１の開口１６の長手方向、すなわち、図３のように筐体１を配線基板１００の板面状に配備したときに、配線基板１００と覆壁１３の内側の壁面１３ａとが対峙している方向（縦方向）に延びている。したがって、係止片部６６が係止面２１に弾接したまま図３の矢印ａ１’，ａ２’で示した縦方向に変位したとしても、係止片部６６の横幅方向両側の端縁６８が係止面２１を削ったりすることはない。
【００２３】
接片材５に外力が作用していない初期状態では、図５のように係止片部６６の面状部７１が筐体１側の係止面２１に重なり合って弾圧状態で面接触し、しかも、上下の突片部７３，７４が係止面２１から遠ざかる方向に延び出ている。また、山形突出部５６の湾曲部６５が、筐体１の覆壁１３の壁面１３ａにわずかな間隔を隔てて対峙している。なお、この実施形態では、筐体１の左右の補強壁の間の凹所２２に補強端子２３を配備して筐体１を補強してある（図１又は図２参照）。
【００２４】
このバッテリー用コネクタでは、たとえば、図示していないバッテリーを充電するときにバッテリーＤを着脱する操作が行われる。
【００２５】
バッテリーの装着操作は、蛇行状の接片材５の収縮方向である図３の矢印Ａ１方向に沿ってバッテリーＤを当該コネクタに挿入することによってバッテリー側電極を山形突出部５６の接点５７に押し付けて弾接させる。このときには、主に撓み部５４，５５の撓み変形を通じて接片材５が収縮し、山形突出部５６が矢印ａ１のように後退変位して開口１６に押し込まれ、係止片部６６が係止面２１から離れる。このときの山形突出部５６の後退変位に伴って、湾曲部６５が覆壁１３の壁面１３ａに当たって擦れ合うことがある。これに対し、バッテリーＤの離脱操作は、蛇行状の接片材５の伸長方向である図３の矢印Ａ２方向に沿ってバッテリーを当該コネクタから離反させる。このときには、撓み変形によって収縮していた接片材５が伸長して山形突出部５６が矢印ａ２のように前進変位して開口１６から突き出し、係止片部６６が係止面２１に係止されることにより初期状態に復帰して次回の使用に備えるようになる。したがって、通常のバッテリー装着操作では係止片部６６が係止面２１に擦れ合うという事態がほとんど起こらないけれども、場合によっては、山形突出部５６が前進変位や後退変位を行うときにわずかな長さ範囲でだけ係止片部６６が係止面２１に擦れ合うという事態が起こり得る。
【００２６】
すなわち、何らかの理由で図３の矢印Ａ１’，Ａ２’で示した方向の外力が山形突出部５６に加えられて係止片部６６が係止面２１に弾接したまま矢印ａ１’，ａ２’で示した方向に摺動するという状況が起こったときには、図４で説明した係止片部６６の面状部７１が係止面２１に面接触状態で重なり合って擦れ合ったり、図５に仮想線で示したように係止片部６６が傾いて係止面２１と擦れ合ったりするという状況が起こり得る。そのうち、面状部７１が係止面２１に重なり合って擦れ合う場合には、面状部７１が係止面２１を掻き削るような角張り端縁を備えていないために、係止面２１が削られることはなく、また、係止片部６６が係止面２１に引掛かって変形することもない。また、係止片部６６が傾いて係止面２１と擦れ合うという状況が起こったときにも、図５の仮想線のように、係止片部６６の湾曲した曲り部７２が係止面２１と擦れ合うので、この場合にも、係止面２１が削られることはなく、また、係止片部６６が係止面２１に引掛かって変形することもない。
【００２７】
また、山形突出部５６の進退変位によってその湾曲部６５が覆壁１３の壁面１３ａに当たって擦れ合うこともある。この場合には、湾曲面６５に壁面１３ａを掻き削るような角張り端縁が存在していないため、壁面１３ａが削られたり、山形突出部５６が変形したりすることはない。
【００２８】
この実施形態では、筐体１は、覆壁１３に対向する箇所を開放口１９としてその部分の壁部を省略してあって、筐体１を配線基板１００の板面上に配備することにより開放口１９が配線基板１００によって塞がれるようになっており、しかも、接片材５の撓み部５４が覆壁１３の凹所１４に嵌め込まれていることによって筐体１の背低化が達成されている。また、開口１６が形成されている囲壁１５の下半部の突出箇所１７に形成した補強壁１８によって、開口１６を備えた囲壁１５の強度向上が図られている。したがって、全体として小形で強度に優れているという長所を有している。
【００２９】
図７（Ａ）は係止片部６６の変形例を示した斜視図、同（Ｂ）は（Ａ）のＶＩＩＢ−ＶＩＩＢ線に沿う拡大断面図、図８は図７の係止片部６６が発揮する作用の説明図である。
【００３０】
図７の係止片部６６は、矩形の面状部７１の左右２箇所に球状の膨出部７５を形成してある。この係止片部６６によると、図８のように、膨出部７５が係止面２１に当接することによって、面状部７１が係止面２１から離反させた位置に保持される。そのため、非常態時において、係止片部６６が矢印ａ１’，ａ２’で示した方向に係止面２１に弾接したまま摺動するという不慮の状況が起こったときでも、係止片部６６の膨出部７５が係止面２１に重なり合って擦れ合うだけであるため、係止面２１が削られることはなく、係止片部６６が係止面２１に引掛かって変形することもない。常態時のバッテリー装着操作で、係止片部６６が係止面２１に擦れ合うという事態が起こった場合も同様である。特に、この事例のように係止片部６６に角張り端縁を持たない膨出部７５が係止面２１に擦れ合うようになっていると、膨出部７５と係止面２１との摩擦抵抗が少なく抑えられてその摺動性が向上するので、山形突出部５６ひいては接片材５に無理な力が加わりにくくなって接片材の耐用性が向上するという利点がある。
【００３１】
なお、膨出部７５の形状は球状に限定されず、たとえば係止片部６６の横幅方向全体に亘る長さの円弧状であってもよい。
【００３２】
【発明の効果】
以上のように、本発明に係るバッテリー用コネクタは、係止片部が筐体の係止面と擦れ合ったとしても、係止面が削られたり係止片部が変形したりするおそれがなくなる。そのため、使用によって早期に筐体が強度不足によって割れたり変形したりするという事態や接片材が変形したりするという事態が起こらず、初期性能を長期間に亘って発揮し得るバッテリー用コネクタを提供することが可能になる。また、配線基板に実装したときの背低化を図りやすいので、バッテリー用コネクタひいてはそのバッテリー用コネクタを搭載する機器の小形化を図りやすくなる。
【図面の簡単な説明】
【図１】本発明に係るバッテリー用コネクタの正面図である。
【図２】図１のＩＩ−ＩＩ線断面図である。
【図３】図１のＩＩＩ−ＩＩＩ線断面図である。
【図４】係止片部の形状を示した部分斜視図である。
【図５】図３の要部を拡大して示した作用説明図である。
【図６】図１のＶＩ部の拡大図である。
【図７】（Ａ）は係止片部の変形例を示した斜視図、（Ｂ）は（Ａ）のＶＩＩＢ−ＶＩＩＢ線に沿う拡大断面図である。
【図８】図７の係止片部が発揮する作用の説明図である。
【図９】従来のバッテリー用コネクタの断面図である。
【図１０】従来のバッテリー用コネクタに採用されている接片材の斜視図である。
【図１１】従来例の問題点を示した説明図である。
【符号の説明】
１  筐体
５  接片材
１３ａ  壁面
１６  開口
１９  開放口
２１  係止面
５１，５２，５３  板片部
５４，５５  撓み部
５７  接点
５６  山形突出部
６５  湾曲部
６６  係止片部
６８  横幅方向両側の端縁
７１  面状部
７２  曲がり部
７３，７４  突片部
７５  膨出部
１００  配線基板
Ｄ  バッテリー
【図１】
2004193055.tif 000003
【図２】
2004193055.tif 000004
【図３】
2004193055.tif 000005
【図４】
2004193055.tif 000006
【図５】
2004193055.tif 000007
【図６】
2004193055.tif 000008
【図７】
2004193055.tif 000009
【図８】
2004193055.tif 000010
【図９】
2004193055.tif 000011
【図１０】
2004193055.tif 000012
【図１１】
2004193055.tif 000013